(57)【要約】【課題】  アングル部における外皮層が損傷しても、アングル部内からの異物の流出を阻止でき、かつ気密検査により外皮層の破損等の有無を確実に検出できるようにする。【解決手段】  アングル部３ｂを構成する外皮層１４は、内層１４ａと外層１４ｂとの２重構造となし、外層１４ｂが破損してもアングル部３ｂ内の異物が漏れ出さないようになし、かつ内層１４ａと外層１４ｂとの間に、アングル部３ｂの内部に圧力が導入されたときに、この圧力を内層１４ａと外層１４ｂとの間に漏れ出させる圧力漏出部として、基端リング１０ｂの外面と外皮層１４の内層１４ａとの間に線材２０を差し込むようになし、この線材２０により空気の流通路を形成している。【選択図】  図３
2005279128.tif 000002
【特許請求の範囲】
【請求項１】
本体操作部に連結して設けた挿入部の先端硬質部に検査手段を装着し、この先端硬質部に、前記本体操作部からの遠隔操作により湾曲されるアングル部を連結して設けた体腔内の検査装置において、
前記アングル部の外皮層を内層と外層との２重の層で形成し、
前記アングル部の内部を加圧状態にしたときに、前記内層と前記外層との間にその圧力を導く圧力漏出部を設ける
構成としたことを特徴とする体内挿入型検査装置。
【請求項２】
前記圧力漏出部は前記アングル部の少なくとも一方の端部近傍に設ける構成としたことを特徴とする請求項１記載の体内挿入型検査装置。
【請求項３】
前記圧力漏出部の流通経路に粉状及び粒状の異物を捕捉するフィルタを装着する構成としたことを特徴とする請求項１記載の体内挿入型検査装置。
【発明の詳細な説明】
【技術分野】
【０００１】
本発明は、内視鏡、超音波検査装置等のように、被験者の体内に挿入されて、挿入部の先端に設けた検査手段による検査を行なう体内挿入型検査装置に関するものである。
【背景技術】
【０００２】
体内挿入型検査装置として、例えば内視鏡は、術者が手で把持して操作を行なう本体操作部に、被験者の体内に挿入される挿入部が連結して設けられており、また本体操作部から光源装置及びプロセッサに着脱可能に接続されるユニバーサルコードを延在させることにより大略構成されるものである。挿入部の先端部には少なくとも照明部と観察部とからなる内視鏡検査手段が設けられる。なお、超音波検査装置の場合には、挿入部の先端に設けられる検査手段は超音波トランスデューサとなり、超音波内視鏡の場合には、内視鏡検査手段と超音波トランスデューサとが挿入部の先端に併設される。
【０００３】
前述した検査手段は挿入部の先端硬質部に設けられるが、この先端硬質部と本体操作部との間を硬質パイプで構成した硬性鏡と、先端硬質部にアングル部及び軟性部を連結した軟性鏡とがある。ここで、アングル部は遠隔操作によって先端硬質部を所望の方向に向けるために、湾曲可能なものとして構成される。硬性鏡であっても、先端硬質部と硬質パイプとの間にアングル部を設ける構成としたものも用いられている。
【０００４】
ここで、アングル部の構成としては、節輪構造となった筒状構造部、つまり、アングル部は複数のアングルリングを順次枢着することにより構成される。前後のアングルリングの左右両側部を枢着すると、上下方向に湾曲操作が可能であり、また相隣接するアングルリングを左右、上下と交互に枢着する構成とすれば、アングル部は上下及び左右に湾曲させることができる。そして、筒状構造部の内部には、光ファイバや信号ケーブル、さらには処置具等を挿通させるチューブ等が挿通され、かつアングルリングの外周部にはネットを被着させ、さらにフッ素ゴム、ウレタンゴム、ＥＰＤＭ等からなる外皮層で覆うように構成する。
【０００５】
前述したように、アングル部は本体操作部から遠隔操作により湾曲させるように構成されており、このために本体操作部にはノブやレバー等からなる操作部材を備えたアングル操作装置が設けられている。そして、アングル操作装置には巻取り車が連結して設けられており、アングル部の先端リング若しくは先端硬質部に固定させた操作ワイヤがこの巻取り車に巻回して設けられる。そして、マニュアル操作により操作部材を操作して巻取り車を回動させ、操作ワイヤを押し引きすることによりアングル部は意図した方向に湾曲させることができる。この湾曲操作時には、操作ワイヤはアングルリング内面に対して摺動することになり、またアングルリングの枢着部も摺動することになる。アングル操作を軽い負荷で円滑に行なうために、アングル部の内部には潤滑材が充填されるが、この潤滑材として通常用いられるのは、二硫化モリブデンや窒化ホウ素等の粉末である。
【０００６】
アングル部の外皮層は可撓性及び伸縮性が要求される。外皮層をウレタンゴム等で形成されるのはこのためであり、しかも比較的薄肉のチューブで形成される。そして、先端硬質部による観察視野を変更するために、時には１８０°以上というように大きく湾曲できる構成とするが、このために外皮層、特にその両端に極めて大きな張力が作用する結果、外皮層が損傷するおそれがある。
【０００７】
とりわけ、内視鏡として、トラカールを介して腹腔内に導かれる腹腔鏡があるが、この腹腔鏡をガイドするトラカールは、体表皮から腹壁に刺入する関係から、先端が鋭利な刃状となっている。腹腔鏡は、通常、硬性鏡として構成されるが、先端に設けた内視鏡観察機構を所望の方向に向けるようにするために、先端硬質部にアングル部を連設する構成としたものも用いられる。この場合、腹腔鏡で検査を行なった後、トラカールからこの腹腔鏡を取り出す際に、アングル部が湾曲したままの状態となっていると、このアングル部の外皮層がトラカールの先端の刃部により損傷する可能性がより高くなる。
【０００８】
以上のように、内視鏡のアングル部の外皮層がフッ素ゴム等の弾性部材で構成されることから、この外皮層が損傷する可能性が否定できないが、たとえ損傷したとしても、穿孔状態となったり、割れ目や裂け目が生じたりする破損が生じても、アングル部の内部に充填した二硫化モリブデン等の潤滑材を含む異物が体内に漏れ出さないようにしなければならない。そこで、内視鏡による点検・検査に当っては、挿入部を水中に浸漬させた状態で、その内部に加圧空気を供給して、気泡の発生の有無を確認することによる気密検査を行なうのが一般的である。従って、気密漏れが生じていると、修理や部品交換等を行なうようにする。
【０００９】
一方、アングル部内から潤滑材や挿入部内で発生する磨耗粉やその他の異物が漏れ出す等といった不都合を確実に回避するには、このアングル部の外皮層の密閉構造をさらに向上させれば良い。通常、外皮層の損傷はその外側に鋭利な物体が作用することに起因するものであり、アングル部の内部側から損傷が生じる可能性は殆どない。以上の点を考慮すれば、外皮層を内外２層構造とすれば、外層が損傷しても、内層の存在によりアングル部の内部の密閉性を確保することができる。このように、内視鏡のアングル部において、その外皮層を２層構造としたものは、例えば特許文献１に示されているように、従来から知られている。
【特許文献１】特開２００１−８８８７号公報
【発明の開示】
【発明が解決しようとする課題】
【００１０】
前述したように、外皮層を２層構造とすると、アングル部内の気密性が向上することになり、たとえ外皮層のうち、外層が破損したとしても、このアングル部の内部から種々の異物が漏れ出すのを確実に防止できるという点で極めて有利になる。しかしながら、外皮層のうち、内層による気密確保がなされている限り、挿入部内に加圧空気を導入して行なう気密検査の結果は、外皮層における外層が破損して気密を取れない状態となっても、気密性が維持されていると判断される。勿論、外皮層における外層が損傷した場合には、目視によりその発見は可能であることから、格別問題とはならないものの、気密検査を行なった結果、気密漏れがないと判断されると、アングル部の外観検査が行なわれずに、そのまま使用を継続することがないとは言えない。
【００１１】
その結果、外層の破損部から内層との間に体液やその他の汚損物質が浸入して、内視鏡の使用後の洗浄程度ではこの内外の層間に浸入した汚損物質を除去することはできない。つまり、外皮層を内外２層構造とすると、気密検査の精度が著しく低下し、もはや外側の層の破損による気密漏れが発見できなる。従って、衛生面や安全面を考慮すれば、外皮層を内外２層構造とした場合であっても、その外層が破損したときには、気密検査により検出できるようにするのがより望ましいことである。
【００１２】
本発明は以上の点に鑑みてなされたものであり、その目的とするところは、アングル部の外皮層を２重構造とした上で、気密検査により外層における気密漏れの有無を確実に検出できるようにすることにある。
【課題を解決するための手段】
【００１３】
前述した目的を達成するために、本発明は、本体操作部に連結して設けた挿入部の先端硬質部に検査手段を装着し、この先端硬質部に、前記本体操作部からの遠隔操作により湾曲されるアングル部を連結して設けた体腔内の検査装置であって、前記アングル部の外皮層を内層と外層との２重の層で形成し、前記アングル部の内部を加圧状態にしたときに、前記内層と前記外層との間にその圧力を導く圧力漏出部を設ける構成としたことをその特徴とするものである。
【００１４】
ここで、体内挿入型検査装置としては、内視鏡、体内挿入型の超音波検査装置、超音波内視鏡等、アングル部を備えた挿入部を有する検査装置として構成することができる。特に、先端が鋭利な刃状となったトラカールを介して体腔内に導かれるように構成した腹腔鏡においては、トラカールの先端刃部により外皮層が損傷する可能性が高いことから、圧力漏出部を設ける必要性が最も高い。
【００１５】
圧力漏出部は、内層自体に設けることができ、また内層と外層との間に設けるようにすることもできる。即ち、内層自体に圧力漏出部を形成するには、例えば内層の一部にピンホールを設けるようにすることができる。外皮層はアングル部の構造体としてのアングルリングのうち、両端に位置するリングに嵌合されて、糸巻き及び接着により固着されることになる。そして、内層と外層とは一体に端部のリングに固着されるのではなく、外層の端部を内層の端部より張り出させるようになし、内層の端部を固着した上で外層の端部が固着される。従って、内層端部とそれを覆っている外層との間に小さい空間が形成されることになる。そこで、圧力漏出部は内層と端部リングとの間に線材を差し込むようにして内層とリングとの間に挟持させるように構成する。
【００１６】
これによって、水中に浸漬して気密検査を行なうために、挿入部の内部に加圧空気を導入したときには、これら圧力漏出部を介して内層と外層との間の隙間に圧力が導かれるようになる。外層に破損した箇所があれば、その部位から空気が漏れ出して気泡が生じることになる。その結果、外皮層の気密漏れを確実に検出することができることになる。外皮層のうち、その両端部及びその近傍位置において損傷する可能性が最も高い。従って、このアングル部の先端側若しくは基端側の少なくとも一方若しくは両方の端部近傍に設けるのが望ましい。
【００１７】
ここで、内層にピンホールを設けるにしろ、また層間に線材を差し込むにしろ、圧力漏出部としてあまり広い隙間や開口が存在しないように保持する。この圧力漏出部に大きな開口が生じていると、気密検査のために、アングル部の内部を高圧状態としたときに、圧力漏出部から潤滑材を含む粉状や粒状の異物等が内外の層間に移行するおそれがあるので望ましくはない。このような事態の発生を確実に防止するためには、圧力漏出部の流路断面積を小さくして、異物が通過しないように構成するか、またはこの圧力漏出部の経路にフィルタを装着させて、このフィルタにより前述した粉状乃至粒状の異物が内外の層間に移行しないように捕捉させる構成とすることもできる。
【発明の効果】
【００１８】
従って、本発明によれば、アングル部における外皮層が損傷しても、アングル部の内部から外部に異物が流出するのを阻止することができ、しかも気密検査により外皮層の破損に起因する気密漏れを確実に検出できるようになる等の効果を奏する。
【発明を実施するための最良の形態】
【００１９】
以下、図面を参照して本発明の実施の形態について説明する。この実施の形態においては、体内挿入型検査装置の一例として、トラカールをガイド手段として腹腔内に挿入されるアングル機構付き腹腔鏡として構成したものを示す。ただし、本発明の対象は、この腹腔鏡だけではなく、他のタイプの内視鏡や超音波検査装置等として構成することができるのは言うまでもない
【００２０】
まず、図１において、１は腹腔鏡であって、この腹腔鏡１は本体操作部２と体腔内への挿入部３とから構成されている。また、体腔内への挿入部３は、本体操作部２への連結部から所定の長さ分が硬質のパイプ材を有する硬性部３ａであって、この硬性部３ａにはアングル部３ｂが連結して設けられ、またアングル部３ｂの先端は先端硬質部３ｃとなっている。そして、先端硬質部３ｃの先端面には、少なくとも照明部と観察部とが装着されている。なお、これら照明部及び観察部は周知の構造のものであるから、その説明及び図示は省略する。
【００２１】
腹腔鏡１は概略以上のように構成されるものであって、その挿入部３を腹腔内に導くには、予め腹壁にトラカール４を刺入しておき、このトラカール４内に腹腔鏡１の挿入部３を挿入する。ここで、トラカール４は金属パイプ等からなる筒状の部材であり、腹壁に刺入する際には、その内部に内針を挿入して、全体として先端は錐状とすることにより容易に腹壁を貫通させることができるようにしている。内針からトラカール４の先端部までの間に段差が生じないようにするために、トラカール４の先端部４ａは、その外面側を連続的に縮径させることによって円環状をした刃状態に形成されている。
【００２２】
図２に挿入部３におけるアングル部３ｂの断面構成を示す。この図２から明らかなように、アングル部３ｂはアングルリング１０を多数連結した節輪構造のもので構成される。このアングルリング１０の連結構造としては、枢着ピン１１を介して前後のアングルリング１０，１０間を枢着するようになし、この枢着部は前後、左右の順に繰り返すようにしたものであり、これによってアングル部１０は上下及び左右に所定角度分湾曲させることができるようになる。従って、アングルリング１０の連結構造によってアングル部３の筒状構造部１２が形成される。そして、この筒状構造部１２の外周にはネット１３が被着されており、さらにネット１３にフッ素ゴム、ウレタンゴム、ＥＰＤＭ等からなる外皮層１４が積層される。
【００２３】
アングル部３ｂは、本体操作部２に設けたアングル操作装置５による遠隔操作で湾曲させるようになっており、術者等はこのアングル操作装置５をマニュアル操作できるようにしている。このために設けられるのが操作ワイヤ１５であり、操作ワイヤ１５は相互に９０°の間隔を置いて４本設けられる。各操作ワイヤ１５は硬性部３ａの内部では図示しない密着コイルに挿通されており、またアングル部３ｂの内部では枢着ピン１１の頭部に形成したワイヤ挿通部１１ａ内に挿通されている。そして、操作ワイヤ１５の先端部はアングルリング１０における先端リング１０ａに固定されている。
【００２４】
従って、例えば上部に位置する操作ワイヤ１５を基端側に引っ張り、下部に位置する操作ワイヤ１５を繰り出すようにすると、アングル部３ｂは上方に湾曲する。また、下部側の操作ワイヤ１５を引っ張り、上部側を繰り出すとアングル部３ｂは下方に湾曲し、左右何れかの操作ワイヤ１５を引っ張り、他方を繰り出すと、左右に湾曲する。アングル部３ｂの湾曲操作時には、枢着ピン１１及びアングルリング１０の重なり合った部位が摺動する。また、湾曲した内側の操作ワイヤ１５はアングルリング１０の内面に押し付けられた状態で移動することになる。従って、これらの摺動がアングル操作に対する抵抗となる。そこで、アングル操作の操作性を向上させ、軽い負荷で円滑に操作できるようにするために、アングル部３ｂの内部には潤滑材が充填されている。この潤滑材は、通常、二硫化モリブデンや窒化ホウ素等の粉末が用いられ、前述した各摺動部に行き渡らせている。
【００２５】
以上のように、アングル部３ｂの内部には、粉末の潤滑材が充填されており、またこの他にも磨耗粉等の異物がアングル部３ｂの内部に存在している。従って、外皮層１４が損傷したり、破損したりすると、前述した粉状乃至粒状の異物が漏れ出す可能性がある。このために、外皮層１４を内層１４ａと外層１４ｂとの２重の層で構成している。これにより、たとえ外層１４ｂが損傷乃至破損が生じても、内層１４ａによってアングル部３ｂの内部が気密状態に保持されているから、異物等が外部に漏出するのを防止できる。
【００２６】
外皮層１４の両端は、アングル部３を構成する筒状構造部１２における両端に位置するアングルリング１０、つまり先端リング１０ａと基端リング１０ｂとの外周面に固着されるように構成される。そして、外皮層１４のうち、内層１４ａの両端部は糸巻き１６により先端リング１０ａ及び基端リング１０ｂの外周面に固着される。また、外層１４ｂは、内層１４ａの端部から所定の長さ分だけ先端側及び基端側に延在させて、同様に糸巻き１７によって先端リング１０ａ及び基端リング１０ｂに固着されることになる。また、この外層１４ｂの場合には、固着手段を構成する糸巻き１７上に接着剤１８が塗布されるようになっており、これによって糸巻き１７が解れないように保持される。そして、外皮層１４を構成する内層１４ａ及び外層１４ｂを糸巻き１６，１７により固着するに当って、強い締め付け力を作用させて、弾性部材から構成される内層１４ａ及び外層１４ｂは先端リング１０ａ及び基端リング１０ｂに圧接することによって、それらを強固に固着することができ、また必要に応じて糸を切断することにより外層１４ｂ及び内層１４ａをアングル部３を構成する筒状構造部１２から分離することができる。
【００２７】
ここで、外皮層１４のうち、損傷や破損が生じる可能性があるのは、外層１４ｂであり、内層１４ａは外部に露出しておらず、しかもネット１３に被着されているので、損傷のおそれはない。外層１４ａが破損した場合には、それを外部から確認できるので、その事実が発見されると、修理を行なう等が可能である。ただし、内視鏡は使用の都度気密検査が行なわれるので、気密検査で問題がなければ、アングル部３ｂの外観検査を行なうのを怠る場合がないとは言えない。そこで、外皮層１４を内外２重層として損傷や破損が生じても、内部から異物等が漏れ出さないように構成した上で、さらに外層１４ｂの破損や、亀裂、裂け目等が発生して、アングル部３ｂにおいて気密漏れが発生したことを気密検査時にも発見できるように構成している。
【００２８】
ここで、気密検査は、具体的には、本体操作部２に設けた圧力導入部６に加圧空気の供給配管を接続した状態で、内視鏡を水中に浸漬させるようになし、加圧空気を内視鏡の内部に供給して内圧を上昇させる。その結果、内視鏡のいずれかの箇所に気密漏れ箇所があると、気泡が発生することになる。従って、アングル部３ｂからの気泡の発生の有無を確認することによって、アングル部３ｂの外皮層１４における気密漏れを発見することができる。しかしながら、外皮層１４を内外２層構造としたときに、内層１４ａが無傷の状態である限り、たとえ外層１４ｂが破損していたとしても、気密検査時に気泡が発生することはない。
【００２９】
以上のことから、内層１４ａと外層１４ｂとの間に、アングル部３ｂの内部に圧力が導入されたときに、この圧力を内層１４ａと外層１４ｂとの間に漏れ出させ、外層１４ｂの内面側に空気圧を作用させる圧力漏出部を形成するように構成している。ただし、この圧力漏出部によるアングル部３ｂの内部と内外層１４ａ，１４ｂ間との連通路は、空気を流通させるが、潤滑材や磨耗粉等といった固形異物は実質的に漏れ出さない程度の微小な通路とする。このように、圧力漏出部を極めて限定された通路としたときには、アングル部３ｂの全長に圧力を及ぼすのは困難であり、また外層１４ｂの全体にわたって気密検査するには著しく高い圧力を導入し、かつ長時間の検査が必要となる。
【００３０】
一般に、内視鏡のアングル部を湾曲させたときに、このアングル部の中間部分は緩やかに湾曲するが、アングル部の端部は硬質部材に連結されているので、急激な曲げが作用することになる。従って、この部位には無理な張力が作用する可能性があることから、繰り返しアングル部を湾曲させると、その端部に劣化なり疲労なりが生じることになる結果、損傷や破損の可能性は最も高くなる。しかも、図１に示した腹腔鏡１として構成した場合において、アングル部３ｂを湾曲させたままの状態でトラカール４から引き出されると、特にアングル部３ｂの硬性部３ａへの連結側が刃状となったトラカール４の先端部４ａにより削り取られるようにして損傷する可能性がある。
【００３１】
以上のことから、アングル部３ｂと硬性部３ａとの間に圧力漏出部を設ける構成としている。また、アングル部３ｂと先端硬質部３ｃとの間の連結部も可湾曲構造から硬質構造への移行部であるから、この部位にも圧力漏出部を設けることもできる。そして、圧力漏出部の具体的な構成としては、例えば図３及び図４に示したもの、また図５に示したものを用いることができる。そこで、図３及び図４に示した圧力漏出部はアングル部３ｂと硬性部３ａとの連結部に設ける構成とし、また図５に示した圧力漏出部をアングル部３ｂと先端構成部３ｃとの連結部に設ける構成としたものを示す。なお、これら２箇所の圧力漏出部は必ずしも両方に設ける必要はなく、いずれか一方のみであっても良く、また図３，図４に示した圧力漏出部及び図５に示した圧力漏出部は、いずれの側に配置することもできる。
【００３２】
而して、図３及び図４に示した圧力漏出部は、アングルリング１０における基端リング１０ｂの外面と外皮層１４の内層１４ａとの間の１箇所乃至円周方向に複数箇所に線材２０を差し込むように構成したものである。内層１４ａは基端リング１０ｂの外周面を覆っており、しかも糸巻き１６により基端リング１０ｂの外周面に圧接されている。また、内層１４ａの内側にはネット１３が設けられているが、このネット１３は糸巻き１６が施されている部位の手前に位置している。そこで、線材２０は基端リング１０ｂの先端部から導出させた状態となし、ネット１３及び内層１４ａの下部位置から端部側に延在させる。内層１４ａの端部は外層１４ｂが覆っており、しかも外層１４ｂの端部における糸巻き１７は、この内層１４ａの端部を過ぎた位置となっているので、内層１４ａの端部と外層１４ｂとに囲まれるようにして円環状の空隙２１が形成される。そこで、前述した線材２０の端部はこの空隙２１内にまで及ぼすようにしている。
【００３３】
ここで、線材２０としては、弾性を有さないもの、例えば金属ワイヤや、天然繊維若しくは合成繊維からなる糸で構成することができる。そして、特に糸巻き１６が設けられている部位では、内層１４ａの内面と基端リング１０ｂの外周面との間に線材２０が挟み込まれていることから、その両側に小隙間からなる細い通路が形成される。線材２０の太さは、通路に加圧空気を流通させるが、微粉末状のものを含めて固形異物はできるだけ通さないようなものとする。
【００３４】
以上のように構成することによって、常時においては、つまりアングル部３ｂを含む挿入部３内に圧力が導入されていない状態では、線材２０を介在させることにより形成されている圧力漏出部には格別空気が流通するようなことはない。気密検査を行なうために、本体操作部２に設けた圧力導入部６に加圧空気の供給配管を接続して、加圧空気を流入させると、アングル部３ｂの内部の圧力が上昇する。その結果、線材２０の周囲、特に内層１４ａと基端リング１０ｂとに挟持されている線材２０の左右両側部に形成されている僅かな隙間が圧力の漏出通路となって、空隙２１が高圧状態となる。ここで、内層１４ａは外層１４ｂに対して固着されておらず、また内層１４ａ及び外層１４ｂは共に弾性部材で構成されているので、空気圧により外層１４ｂが膨出して空隙２１内の圧力がこれらの層間に及ぶようになる結果、もし外層１４ｂに破損箇所等があると、その部位から加圧空気が外部に漏出するようになり、水中に浸漬させた腹腔鏡１におけるアングル部３ｂから気泡が発生することになる。従って、気密検査を行なうことによって、外皮層１４における外層１４ｂの破損等に起因する気密漏れを容易に検出することができる。
【００３５】
一方、図５に示した圧力漏出部は、内層１４ａに設けた厚み方向に貫通する１乃至複数箇所のピンホール３０で構成されている。ピンホール３０は、この内層１４ａにおいて、糸巻き１６により先端リング１０ａに固着されている部位と、ネット１３の端部位置との間に設けられている。そして、先端リング１０ａには内層１４ａにピンホール３０が設けられている位置に対応して透孔３１が穿設されており、従ってピンホール３０はこの透孔３１を介してアングル部３ｂの内部に開口している。そして、ピンホール３０の孔径を細いものとすることによって、常時においては、このピンホール３０は実質的に閉鎖状態となる。また、気密検査のために、アングル部３内に加圧空気が供給されて、内圧が高くなると、内層１４ａ（及び外層１４ｂも）が膨出することになり、その結果、ピンホール３０の径が拡大することになる。これによって、外皮層１４を構成する内層１４ａと外層１４ｂとの間に加圧空気が導入されるようになり、外層１４ｂに損傷や破損が生じて、気密が確保されない状態となっていると、気泡の発生によりその事実を確認することができる。ただし、この気密検査時に空気の流れに粉状乃至粒状の異物が搬送されないようにするために、アングル部３ｂの内部から内層１４ａと外層１４ｂとの間に至る圧力漏出部の通路の一部を構成する先端リング１０ａの外面（若しくは内面）の透孔３１を覆うフィルタ３２を装着しておくのが望ましい。ここで、フィルタ３２は、空気は流通させるが、潤滑材や磨耗粉等といった固形異物は通さないものを用いる。
【００３６】
特に内層１４ａにおいて、ピンホール３０が設けられている位置は、内層１４ａだけが先端リング１０ａに嵌合され、ネット１３はこの位置まで及んでいないので、加圧空気を供給したときに、内層１４ａのこの部分が大きく伸びるようになり、これに伴ってピンホール３０の孔径も広くなる。その結果、加圧空気はこのピンホール３０を介して確実に内層１４ａと外層１４ｂとの間に供給され、外層１４ｂに損傷や破損があれば、気泡を発生させることになる。しかも、この空気の流れにアングル部３ｂ内の異物が搬送されても、フィルタ３２により捕捉されて、内層１４ａと外層１４ｂとの間に移行しないので、使用中に外層１４ｂが損傷しても、このような異物が外部に漏れ出すおそれはない。
【図面の簡単な説明】
【００３７】
【図１】本発明の体内挿入型検査装置の一例としての腹腔鏡の構成説明図である。
【図２】図１の腹腔鏡におけるアングル部の構成を、その内部に挿通される部材を省略して示す断面図である。
【図３】圧力漏出部の具体例を示す図２の要部拡大図である。
【図４】図３のＸ−Ｘ断面図である。
【図５】他の圧力漏出部の具体例を示す図２の要部拡大図である。
【符号の説明】
【００３８】
１  腹腔鏡
２  本体操作部
３  挿入部
３ｂ  アングル部
１０  アングルリング
１０ａ  先端リング
１０ｂ  基端リング
１３  ネット
１４  外皮層
１４ａ  内層
１４ｂ  外層
１６，１７  糸巻き
２０  線材
２１  空隙
３０  ピンホール
３１  透孔
３２  フィルタ
【図１】
2005279128.tif 000003
【図２】
2005279128.tif 000004
【図３】
2005279128.tif 000005
【図４】
2005279128.tif 000006
【図５】
2005279128.tif 000007